(57)【要約】【課題】簡易な構成で、信号光対雑音比の劣化を抑えることができるとともに、非線形効果による信号光の波形変形を抑えること。【解決手段】第１段光増幅器２０ａおよび第２段光増幅器２０ｂを多段接続し、第１段光増幅器２０に入力された光信号に対する第２段光増幅器２０ｂから出力される光信号の総合利得を一定に保持して光信号を増幅出力する光増幅装置２０において、第１段光増幅器２０ａに入力された入力パワーが小さい場合に第１段光増幅器２０ａの利得を大きく配分し、雑音の影響を抑え、入力パワーが大きい場合に第１段光増幅器２０ａの利得を小さく配分する利得配分制御回路１１と、配分された利得となるように制御を行うＡＧＣ回路１０ａとを備える。利得配分制御回路１１は、第１段光増幅器１０ａに対して配分した残りの利得を第２段光増幅器に配分し、第２段光増幅器から出力される光信号の総合利得を一定にする。【選択図】        図１
2005142291.tif 000002
【特許請求の範囲】
【請求項１】
複数の光増幅器を多段接続し、初段の光増幅器に入力された光信号に対する最終段の光増幅器から出力される光信号の総合利得を一定に保持して光信号を増幅出力する光増幅装置において、
前記初段の光増幅器に入力された入力パワーが小さい場合に前記初段の光増幅器の利得を大きく配分し、前記入力パワーが大きい場合に前記初段の光増幅器の利得を小さく配分する利得配分手段と、
を備えたことを特徴とする光増幅装置。
【請求項２】
前記利得配分手段は、前記初段の光増幅器に対して配分した残りの利得を前記初段以外の光増幅器に配分し、前記最終段の光増幅器から出力される光信号の総合利得を一定にすることを特徴とする請求項１に記載の光増幅装置。
【請求項３】
光増幅器に入力された光信号の入力パワーを検出する入力パワー検出手段と、
前記光増幅器から増幅出力される光信号の出力パワーを検出する出力パワー検出手段と、
前記光増幅器に入力された入力パワーが小さい場合に前記光増幅器の利得を大きくし、前記入力パワーが大きい場合に前記光増幅器の利得を小さくする制御を行う利得制御手段と、
を備えたことを特徴とする光増幅装置。
【請求項４】
前記光増幅器は、
多段接続された複数の光増幅器のうちの初段の光増幅器であり、
最終段の光増幅器は、
当該最終段の光増幅器から増幅出力される光信号の最終出力パワーを検出する最終出力パワー検出手段と、
前記最終出力パワーを一定に制御するパワー制御手段と、
を備えたことを特徴とする請求項３に記載の光増幅装置。
【請求項５】
前記利得配分手段あるいは前記利得制御手段は、前記入力パワーが小さい場合、雑音指数が第１の所定値未満となるように前記利得を大きくし、前記入力パワーが大きい場合、非線形効果が生じる第２の所定値未満となるように前記利得を小さくすることを特徴とする請求項１〜４のいずれか一つに記載の光増幅装置。
【請求項６】
前記利得配分手段あるいは前記利得制御手段は、入力パワーと利得との関係テーブルを備え、この関係テーブルをもとに利得制御を行うことを特徴とする請求項１〜５のいずれか一つに記載の光増幅装置。
【請求項７】
前記利得配分手段あるいは前記利得制御手段は、入力パワーに対する利得の関係を示す関数をもとに、入力パワーに対応する利得を演算し、この演算結果をもとに利得制御を行うことを特徴とする請求項１〜５のいずれか一つに記載の光増幅装置。
【請求項８】
各光増幅器は、希土類添加光ファイバ増幅器であることを特徴とする請求項１〜７のいずれか一つに記載の光増幅装置。
【請求項９】
各光増幅器の段間に光可変アッテネータを設けたことを特徴とする請求項１〜８のいずれか一つに記載の光増幅装置。
【請求項１０】
各光増幅器の段間に分散補償回路を設けたことを特徴とする請求項１〜９のいずれか一つに記載の光増幅装置。
【発明の詳細な説明】
【技術分野】
【０００１】
この発明は、複数の光増幅器を多段接続し、初段の光増幅器に入力された光信号に対する最終段の光増幅器から出力される光信号の総合利得を一定に保持して光信号を増幅出力する光増幅装置に関するものである。
【背景技術】
【０００２】
従来から、希土類添加光ファイバ増幅器（以下、ＥＤＦＡまたは単に光増幅器という）の制御方式としては、ＡＣＣ（Auto Current Control 励起電流一定制御）による制御方式、ＡＬＣ（Auto Level Control 光出力一定制御）による制御方式、ＡＧＣ（Auto Gain Control 利得一定制御）による制御方式が知られている。ＡＣＣ方式は、光増幅器の励起光源の駆動電流が常に同じ値になるようにフィードバック制御するものである。また、ＡＬＣ方式は、光増幅器の出力信号光パワーを検出し、この検出値が常に一定になるように励起光源の駆動電流あるいは励起光源の出力パワーを調整することによって光増幅器の出力信号光パワーをフードバック制御するものである。さらに、ＡＧＣ方式は、光ファイバ増幅器の入力信号光パワーおよび出力信号光パワーを検出し、入力信号光パワーに対する出力信号光パワーの比率が常に一定になるように励起光源の駆動電流あるいは励起光源の出力パワーを調整することによって光増幅器の利得をフードバック制御するものである。
【０００３】
光ファイバ増幅器を用いた光信号伝送装置では、近年の高速・大容量化を実現させるため、異なる波長を多重し、１つの光伝送路によって伝送する高密度波長多重伝送が用いられている。ここで、光増幅器は、数十波長に及ぶ波長多重信号を、一括増幅可能な広い信号増幅帯域を有している。この信号増幅における特性には、入力信号光の波長依存性と入力信号光のパワー依存性とがある。ここで、波長多重信号を一括増幅した場合、異なった波長を持つ各信号間に利得差が存在する。このような波長依存性をなくすため、光ファイバ増幅器内に利得補正フィルタを挿入し、利得スペクトルを平坦にした上で、入力信号光パワーに応じて出力信号光パワーを調整することによって、光増幅器の利得を一定に保持し、平坦な利得スペクトルを実現するＡＧＣ方式が一般に用いられている。
【０００４】
図５は、ＡＧＣ方式を用いた光増幅器を有した光増幅装置の構成を示すブロック図である。この光増幅装置１２０は、大きく第１段光増幅器１２０ａと第２段光増幅器１２０ｂとを有し、第１段光増幅器１２０ａと第２段光増幅器１２０ｂとの間に光可変アッテネータ８および分散補償器９を有する。第１段光増幅器１２０ａにおいて、入力光コネクタ１ａから入力された入力信号光は、光カプラ２ａによって一部が取り出され、フォトダイオード（ＰＤ）３ａによってその光パワーが測定される。一方、光カプラ２ａを通過した入力信号光は、光アイソレータ４ａを介して励起光源６ａによって励起状態となっている希土類添加光ファイバである光ファイバ増幅器７ａに入力し、誘導放出によって光増幅される。この光増幅された信号光は、光アイソレータ４ｂを介して光カプラ２ｂによって一部が取り出され、ＰＤ３ｂによって光パワーが測定される。ＡＧＣ回路１０ａは、ＰＤ３ａからの入力信号光とＰＤ３ｂからの出力信号光との比率が一定となるように励起光源６ａの出力を調整する。
【０００５】
一方、光カプラ２ｂを通過した信号光は、出力信号光として光可変アッテネータ８に出力される。光可変アッテネータ８は、入力信号光パワーの変動に応じて、減衰量が加減され、光増幅器内部の利得を一定に保つ。このため、入力信号光パワーの変動に対する信号光利得の波長依存性を改善し、分散補償器９に出力する。分散補償器９は、信号光の波長分散を補正し、この補正した信号を第２段光増幅器１２０ｂに出力する。この第２段光増幅器１２０ｂは、第１段光増幅器１２０ａと同じ構成であり、分散補償器９から入力された信号光を入力信号光として、光ファイバ増幅器７ｂによって増幅した出力信号光を出力光コネクタ１ｂから出力するとともに、ＡＧＣ回路１０ｂが、ＰＤ３ｃからの入力信号光とＰＤ３ｄからの出力信号光との比率が一定となるように励起光源６ｂの出力を調整する。この結果、入力光コネクタ１ａから入力された入力信号光の光パワーが変化しても、第１段光増幅器１２０ａおよび第２段光増幅器１２０ｂがそれぞれ信号光利得を一定に保持することから、光増幅装置１２０の信号光利得も一定に保持される。
【０００６】
【特許文献１】特開平１０−０５１０５７号公報
【特許文献２】特開平０８−２４８４５５号公報
【特許文献３】特開平０９−２１４０３４号公報
【特許文献４】特開平１１−２７５０２１号公報
【特許文献５】特開２０００−０３１５７２号公報
【特許文献６】特開２０００−１５１５１５５号公報
【特許文献７】特許第３３０６７１２号
【特許文献８】特許第３３０６７１３号
【発明の開示】
【発明が解決しようとする課題】
【０００７】
しかしながら、上述した従来のＡＧＣ方式における光増幅装置では、第１段光増幅器１２０ａへの入力信号光の光パワーが小さいとき、第１段光増幅器１の励起光源６ａの出力パワーが不足し、光増幅装置１２０における信号光対雑音比が劣化し、雑音指数（ＮＦ：Noise Figure）が大きくなり（図６の領域Ｅ１００）、また、第１段光増幅器１２０ａへの入力信号光の光パワーが大きいとき、第１段光増幅器１２０ａからの出力信号光の光パワーが過大となり、分散補償器９における非線形効果の影響を受けてしまう（図６の領域Ｅ１１０）という問題点があった。
【０００８】
また、ＡＣＣ方式における光増幅装置では、第１段光増幅器１２０ａへの入力信号光の光パワーが大きくなると、出力信号光の光パワーが増大してしまい、分散補償器９における非線形効果の影響を受けてしまう（図７の領域Ｅ１１０）とともに、ＡＣＣ方式では、出力信号光の光パワーの検出を行わないため、出力信号光の光パワーが、非線形効果の影響を受ける領域Ｅ１１０に達しているか否かを確認できず、常に良好な光増幅を行うことができないという問題点があった。
【０００９】
さらに、ＡＬＣ方式による光増幅装置では、入力信号光の変化に対して信号光利得を一定に保持することができないため、信号光の波長依存性の制御ができないとともに、入力信号光の光パワーが小さいとき、励起光源からの出力パワーが足りなくなってしまうという問題点があった。
【００１０】
この発明は、上記に鑑みてなされたものであって、簡易な構成で、信号光対雑音比の劣化を抑えることができるとともに、非線形効果による信号光の波形変形を抑えることができる光増幅装置を提供することを目的とする。
【課題を解決するための手段】
【００１１】
上述した課題を解決し、目的を達成するために、この発明にかかる光増幅装置は、複数の光増幅器を多段接続し、初段の光増幅器に入力された光信号に対する最終段の光増幅器から出力される光信号の総合利得を一定に保持して光信号を増幅出力する光増幅装置において、前記初段の光増幅器に入力された入力パワーが小さい場合に前記初段の光増幅器の利得を大きく配分し、前記入力パワーが大きい場合に前記初段の光増幅器の利得を小さく配分する利得配分手段と、を備えたことを特徴とする。
【００１２】
また、この発明にかかる光増幅装置は、上記の発明において、前記利得配分手段は、前記初段の光増幅器に対して配分した残りの利得を前記初段以外の光増幅器に配分し、前記最終段の光増幅器から出力される光信号の総合利得を一定にすることを特徴とする。
【００１３】
また、この発明にかかる光増幅装置は、光増幅器に入力された光信号の入力パワーを検出する入力パワー検出手段と、前記光増幅器から増幅出力される光信号の出力パワーを検出する出力パワー検出手段と、前記光増幅器に入力された入力パワーが小さい場合に前記光増幅器の利得を大きくし、前記入力パワーが大きい場合に前記光増幅器の利得を小さくする制御を行う利得制御手段と、を備えたことを特徴とする。
【００１４】
また、この発明にかかる光増幅装置は、上記の発明において、前記光増幅器は、多段接続された複数の光増幅器のうちの初段の光増幅器であり、最終段の光増幅器は、当該最終段の光増幅器から増幅出力される光信号の最終出力パワーを検出する最終出力パワー検出手段と、前記最終出力パワーを一定に制御するパワー制御手段と、を備えたことを特徴とする。
【００１５】
また、この発明にかかる光増幅装置は、上記の発明において、前記利得配分手段あるいは前記利得制御手段は、前記入力パワーが小さい場合、雑音指数が第１の所定値未満となるように前記利得を大きくし、前記入力パワーが大きい場合、非線形効果が生じる第２の所定値未満となるように前記利得を小さくすることを特徴とする。
【００１６】
また、この発明にかかる光増幅装置は、上記の発明において、前記利得配分手段あるいは前記利得制御手段は、入力パワーと利得との関係テーブルを備え、この関係テーブルをもとに利得制御を行うことを特徴とする。
【００１７】
また、この発明にかかる光増幅装置は、上記の発明において、前記利得配分手段あるいは前記利得制御手段は、入力パワーに対する利得の関係を示す関数をもとに、入力パワーに対応する利得を演算し、この演算結果をもとに利得制御を行うことを特徴とする。
【００１８】
また、この発明にかかる光増幅装置は、上記の発明において、各光増幅器は、希土類添加光ファイバ増幅器であることを特徴とする。
【００１９】
また、この発明にかかる光増幅装置は、上記の発明において、各光増幅器の段間に光可変アッテネータを設けたことを特徴とする。
【００２０】
また、この発明にかかる光増幅装置は、上記の発明において、各光増幅器の段間に分散補償回路を設けたことを特徴とする。
【発明の効果】
【００２１】
この発明は、初段の光増幅器に入力された入力パワーが小さい場合に前記初段の光増幅器の利得を大きく配分し、前記入力パワーが大きい場合に前記初段の光増幅器の利得を小さく配分するようにしているので、簡易な構成で、信号光対雑音比の劣化を抑えることができるとともに、非線形効果による信号光の波形変形を抑えることができるという効果を奏する。
【発明を実施するための最良の形態】
【００２２】
以下に、図面を参照してこの発明にかかる光増幅装置の実施の形態について説明する。
【００２３】
（実施の形態１）
図１は、この発明の実施の形態１である光増幅装置の構成を示すブロック図である。図１において、この光増幅装置２０は、図５に示した光増幅装置１２０に利得配分制御回路１１を加えた構成としている。利得配分制御回路１１は、図２に示すように、第１段光増幅器２０ａに対し、入力信号光の光パワーに対する第１段光増幅器２０ａからの出力される出力信号光の光パワーの比率（利得）を一定にするのではなく、入力信号光が小さい場合には比率を大きくし、ＮＦ過大領域Ｅ１に入らないようにし、入力信号光が大きい場合には比率を小さくし、非線形領域Ｅ２に入らないようにして分散補償器９による非線形効果の影響を受けないようにしている。この非線形効果とは、たとえば相互位相変調効果（ＸＰＭ：Cross Phase Modulation）、自己位相変調効果（ＳＰＭ：Self Phase Modulation）、誘導ブリルアン散乱（ＳＢＳ：Stimulated Brillouin Scattering）などであり、例としては、ＸＰＭの閾値を越えた場合に発生し、信号光波形に歪みを発生させる。
【００２４】
この比率は、利得に相当し、図３に示すように、利得配分制御回路１１は、第１段光増幅器２０ａに対し、入力信号光の光パワーに対して一定の利得に制御せず、上述したように入力信号光が小さいときには利得を大きくし、入力信号光が大きいときには利得を小さくする利得曲線Ｌ１となるように制御する。
【００２５】
そして、第１段光増幅器２０ａと第２段光増幅器２０ｂとの総合利得が、第１段光増幅器２０ａへの入力信号光の光パワーに対して一定となるように、第２段光増幅器２０ｂの利得を制御する。すなわち、利得配分制御回路１１は、第１段光増幅器２０ａに対して図３に示す利得制御を行って図１に示すような出力制御を行うとともに、第１段光増幅器２０ａと第２段光増幅器２０ｂとの総合利得が一定になるように第２段光増幅器２０ｂの利得制御を行う。
【００２６】
具体的に、利得配分制御回路１１は、第１段光増幅器２０ａおよび第２段光増幅器２０ｂにそれぞれ対応する利得配分テーブル１１ａ，１１ｂを有し、第１段光増幅器２０ａに対しては利得配分テーブル１１ａを用いて利得制御を行い、第２段光増幅器２０ｂに対しては利得配分テーブル１１ｂを用いて利得制御を行う。図３は、上述したように、第１段光増幅器２０ａに対する利得制御テーブル１１ａの内容を示しており、利得制御テーブル１１ｂは、この利得曲線Ｌ１の変化を相殺する利得曲線をもつ。なお、上述した利得曲線Ｌ１は一例であり、図２に示したように、比率が、ＮＦ過大領域Ｅ１および非線形領域Ｅ２の各領域に入らないようにすればよく、その曲線の形状は任意である。また、入力信号光が大きくなったり、小さくなったりするのは、波長多重伝送を行っており、このため、波長数が増えると全光パワーは増大し、波長数が減ると全光パワーは減少することから生ずる。
【００２７】
ここで、光増幅装置２０の全体動作について説明する。ＡＧＣ方式を用いたこの光増幅装置２０では、まず第１段光増幅器２０ａにおいて、入力光コネクタ１ａから入力された入力信号光は、光カプラ２ａによって一部が取り出され、ＰＤ３ａによってその光パワーが測定され、測定結果はＡＧＣ回路１０ａおよび利得配分制御回路１１に出力される。一方、光カプラ２ａを通過した入力信号光は、光アイソレータ４ａを介して励起光源６ａによって励起状態となっている希土類添加光ファイバである光ファイバ増幅器７ａに入力し、誘導放出によって光増幅される。この光増幅された信号光は、光アイソレータ４ｂを介して光カプラ２ｂによって一部が取り出され、ＰＤ３ｂによって光パワーが測定され、その測定結果はＡＧＣ回路１０ａに出力される。利得配分制御回路１１は、ＰＤ３ａから入力された光パワーの測定結果から利得配分テーブル１１ａを参照して制御すべき利得値をＡＧＣ回路１０ａに出力する。ＡＧＣ回路１０ａは、ＰＤ３ａからの入力信号光とＰＤ３ｂからの出力信号光との比率を求め、利得配分制御回路１１から入力された利得値になるように、励起光源６ａの出力を調整する。
【００２８】
一方、光カプラ２ｂを通過した信号光は、第１段光増幅器２０ａの出力信号光として光可変アッテネータ８に出力される。光可変アッテネータ８は、入力された信号光利得の波長依存性を改善し、分散補償器９に出力する。分散補償器９は、信号光の波長分散を補正し、この補正した信号を第２段光増幅器２０ｂに出力する。この第２段光増幅器２０ｂは、第１段光増幅器１２０ａと同じ構成であるが、ＡＧＣ回路１０ｂの構成が異なる。
【００２９】
分散補償器９から入力された信号光を入力信号光として、光カプラ２ｃによって一部が取り出され、ＰＤ３ｃによってその光パワーが測定され、測定結果はＡＧＣ回路１０ｂに出力される。一方、光カプラ２ｃを通過した入力信号光は、光アイソレータ４ｃを介して励起光源６ｂによって励起状態となっている希土類添加光ファイバである光ファイバ増幅器７ｂに入力し、誘導放出によって光増幅される。この光増幅された信号光は、光アイソレータ４ｄを介して光カプラ２ｄによって一部が取り出され、ＰＤ３ｄによって光パワーが測定され、その測定結果はＡＧＣ回路１０ｂに出力される。利得配分制御回路１１は、ＰＤ３ａから入力された光パワーの測定結果から利得配分テーブル１１ｂを参照して制御すべき利得値をＡＧＣ回路１０ｂに出力する。ＡＧＣ回路１０ｂは、ＰＤ３ｃからの入力信号光とＰＤ３ｄからの出力信号光との比率を求め、利得配分制御回路１１から入力された利得値になるように、励起光源６ｂの出力を調整する。
【００３０】
これによって、光出力コネクタ１ｂから出力される光パワーは、光入力コネクタ１ａから入力された光パワーに対して一定の利得を得て出力されることになる。この場合、第１段光増幅器１０ａにおいて雑音に影響されることなく、かつ非線形効果の影響も受けることなく、入力信号光を増幅することができる。なお、たとえ、第２段光増幅器１０ｂが第１段光増幅器１０ａと同じ動作を行っても、第１段光増幅器１０ａからの出力信号光に高い雑音や非線形効果の影響を受けている場合は、これらの雑音をも増幅し、非線形効果の影響を受けたまま増幅することになるため、第１段光増幅器１０ａにおいて、図２あるいは図３で示した利得制御を行うことが好ましい。もちろん、複数段の光増幅器を多段接続した場合には、全ての光増幅器に対し、第１段光増幅器１０ａと同じ利得制御を行うことが望ましいが、少なくとも前段方向、特に第１段の光増幅器に、第１段光増幅器１０ａと同じ利得制御を行うようにする。
【００３１】
また、利得配分制御回路１１は、第１段光増幅器１０ａおよび第２段光増幅器１０ｂのそれぞれに対応する利得配分テーブル１１ａ，１１ｂを設けて制御するようにしていたが、一つの利得配分テーブルで実現してもよいし、その都度演算するようにしてよい。この演算は、たとえば利得曲線Ｌ１に対応する関数を用いて演算することができる。さらに、複数段の光増幅器が多段接続された場合、利得配分制御回路１１は、各光増幅器に対応する利得配分テーブルを設ければよい。
【００３２】
（実施の形態２）
つぎに、この発明の実施の形態２について説明する。上述した実施の形態１では、利得配分制御回路１１が第１段光増幅器１０ａおよび第２段光増幅器１０ｂを統括的に制御するようにしていたが、この実施の形態２では、第１段光増幅器内で上述した図２および図３に示した利得制御を独立して行っている。
【００３３】
図４は、この発明の実施の形態２である光増幅装置の構成を示すブロック図である。この光増幅装置３０は、大きくは第１段光増幅器３０ａと第２段光増幅器３０ｂとを有し、第１段光増幅器３０ａと第２段光増幅器３０ｂとの間には光可変アッテネータ８および分散補償器９が設けられる。第１段光増幅器３０ａは、第１段光増幅器２０ａと同じであり、利得配分制御回路１１の第１段光増幅器２０ａ側に対する制御のみを行う利得設定部１３が新たに設けられている。一方、第２段光増幅器３０ｂは、第２段光増幅器２０ｂとは異なり、ＡＧＣ方式による制御ではなく、ＡＬＣ方式による出力制御を行うようにしている。このため、ＡＧＣ回路１０ｂに代わってＡＬＣ回路１２が設けられている。
【００３４】
ここで、この光増幅装置３０の動作について説明する。まず第１段光増幅器３０ａにおいて、入力光コネクタ１ａから入力された入力信号光は、光カプラ２ａによって一部が取り出され、ＰＤ３ａによってその光パワーが測定され、測定結果はＡＧＣ回路１０ａおよび利得設定部１３に出力される。一方、光カプラ２ａを通過した入力信号光は、光アイソレータ４ａを介して励起光源６ａによって励起状態となっている希土類添加光ファイバである光ファイバ増幅器７ａに入力し、誘導放出によって光増幅される。この光増幅された信号光は、光アイソレータ４ｂを介して光カプラ２ｂによって一部が取り出され、ＰＤ３ｂによって光パワーが測定され、その測定結果はＡＧＣ回路１０ａに出力される。利得設定部１３は、ＰＤ３ａから入力された光パワーの測定結果から利得配分テーブル１１ａを参照して制御すべき利得値をＡＧＣ回路１０ａに出力する。ＡＧＣ回路１０ａは、ＰＤ３ａからの入力信号光とＰＤ３ｂからの出力信号光との比率を求め、利得設定部１３から入力された利得値になるように、励起光源６ａの出力を調整する。ここで、利得設定部１３は、利得配分テーブル１１ａに対応した利得テーブルを設けてもよいし、利得曲線Ｌ１に対応した関数を用いて利得値を演算するようにしてもよい。
【００３５】
一方、光カプラ２ｂを通過した信号光は、第１段光増幅器３０ａの出力信号光として光可変アッテネータ８に出力される。光可変アッテネータ８は、入力された信号光利得の波長依存性を改善し、分散補償器９に出力する。分散補償器９は、信号光の波長分散を補正し、この補正した信号を第２段光増幅器３０ｂに出力する。
【００３６】
分散補償器９から入力された信号光である入力信号光は、光アイソレータ４ｃを介して励起光源６ｂによって励起状態となっている希土類添加光ファイバである光ファイバ増幅器７ｂに入力し、誘導放出によって光増幅される。この光増幅された信号光は、光アイソレータ４ｄを介して光カプラ２ｃによって一部が取り出され、ＰＤ３ｃによって光パワーが測定され、その測定結果はＡＬＣ回路１２に出力される。ＡＬＣ回路１２は、ＰＤ３ｃからの入力信号光の光パワーのレベルが一定となるように、励起光源６ｂの出力を調整する。
【００３７】
これによって、光出力コネクタ１ｂから出力される光パワーは、第２段光増幅器３０ｂのＡＬＣ方式の制御によって、一定値として出力されることになる。この場合、第１段光増幅器３０ａにおいて雑音に影響されることなく、かつ非線形効果の影響も受けることなく、入力信号光を増幅することができる。
【図面の簡単な説明】
【００３８】
【図１】この発明の実施の形態１である光増幅装置の構成を示すブロック図である。
【図２】第１段光増幅器における入力信号光の光パワーに対する出力信号光の光パワーの比率の関係を示す図である。
【図３】図２に示した比率を得るための利得曲線を示す図である。
【図４】この発明の実施の形態２である光増幅装置の構成を示すブロック図である。
【図５】従来の光増幅装置の構成を示すブロック図である。
【図６】図５に示したＡＧＣ方式による光増幅装置の第１段光増幅器における入力信号光の光パワーに対する出力信号光の光パワーの比率の関係を示す図である。
【図７】ＡＣＣ方式による制御を行う光増幅装置の第１段光増幅器における入力信号光の光パワーに対する出力信号光の光パワーの比率の関係を示す図である。
【符号の説明】
【００３９】
１ａ  光入力コネクタ
１ｂ  光出力コネクタ
２ａ〜２ｄ  光カプラ
３ａ〜３ｄ  フォトダイオード（ＰＤ）
４ａ〜４ｄ  光アイソレータ
６ａ，６ｂ  励起光源
７ａ，７ｂ  光ファイバ増幅器（ＥＤＦ）
８  光可変アッテネータ
９  分散補償器
１０ａ，１０ｂ  ＡＧＣ回路
１１  利得配分制御回路
１１ａ，１１ｂ  利得配分テーブル
１２  ＡＬＣ回路
１３  利得設定部
２０，３０  光増幅装置
２０ａ，３０ａ  第１段光増幅器
２０ｂ，３０ｂ  第２段光増幅器
Ｌ１  利得曲線
Ｅ１  ＮＦ過大領域
Ｅ２  非線形領域
【図１】
2005142291.tif 000003
【図２】
2005142291.tif 000004
【図３】
2005142291.tif 000005
【図４】
2005142291.tif 000006
【図５】
2005142291.tif 000007
【図６】
2005142291.tif 000008
【図７】
2005142291.tif 000009